(57)【要約】【課題】ケーシング内壁と内部構造物との間のショートパスを遮断する弾性材からなるシール板が内部構造物の熱反りで機能を失っても、熱反りが回復したときに機能を回復するようにする。【解決手段】ケーシング３の内壁面に略平行にバッフル部材３１に片持ち支持された弾性材からなるシール板３２を、対応する内壁面から離れる方向に湾曲して凸面側の自由端を内部構造物の周縁部に形成されたシール面３３に接触させてなるシール機構３０において、内部構造物の設定された位置の周縁部に設けられるシール機構には、シール板を設定曲率以上の湾曲に保持する曲率保持部材３４を備えてなることを特徴とする。【選択図】図３
2018162959.tif 000002
【特許請求の範囲】
【請求項１】
横型の煙道を形成するケーシングと、前記ケーシング内に収容され、排ガスが流通される内部構造物と、前記ケーシングの内壁と前記内部構造物との間に形成される隙間を流れる前記排ガスのショートパスを遮断するシール機構とを備え、
前記シール機構は、前記排ガスの上流側の前記内部構造物の周縁部に対応させて、該周縁部の延在方向に沿って前記ケーシングの内壁に支持されたバッフル部材と、前記ケーシングの内壁面に略平行に前記バッフル部材に片持ち支持された弾性材からなるシール板とを有し、前記シール板を対応する前記内壁面から離れる方向に湾曲して凸面側の自由端を前記周縁部に形成されたシール面に接触させてなり、
前記内部構造物の設定された位置の周縁部に設けられる前記シール機構には、前記シール板を設定曲率以上の湾曲に保持する曲率保持部材を備えてなることを特徴とする排熱回収ボイラ。
【請求項２】
前記内部構造物の設定された位置の周縁部は、前記内部構造物の前記排ガスの上流側と下流側の熱伸び差によって前記内部構造物が反り、前記バッフル部材と前記内部構造物のシール面との距離が設定値以上に達する周縁部であることを特徴とする請求項１に記載の排熱回収ボイラ。
【請求項３】
前記内部構造物は、前記ケーシングの底部構造物に支持されて自立して前記ケーシングに収容され、
前記内部構造物の設定された位置の周縁部は、少なくとも前記ケーシングの天井壁と対向する前記内部構造物の上部周縁部であることを特徴とする請求項１又は２に記載の排熱回収ボイラ。
【請求項４】
前記曲率保持部材は、前記内部構造物の周縁部に沿って連続して又は間隔を空けて設けられていることを特徴とする請求項１に記載の排熱回収ボイラ。
【請求項５】
前記曲率保持部材は、前記シール板の前記凸面に接する湾曲部を有し、該湾曲部は前記設定曲率以上の曲面に形成されていることを特徴とする請求項１に記載の排熱回収ボイラ。
【請求項６】
前記シール板は、前記固定端から前記自由端までの長さが異なる複数のプレートを積層して形成されていることを特徴とする請求項１に記載の排熱回収ボイラ。
【請求項７】
前記曲率保持部材は、前記バッフル部材と一体に形成されていることを特徴とする請求項１に記載の排熱回収ボイラ。
【請求項８】
前記バッフル部材は、断面がＬ字状に形成され、Ｌ字の一端を前記ケーシングの内壁に支持され、他端を前記内面に略平行にして前記内部構造体の周縁に向けて設けられ、
前記曲率保持部材は、前記バッフル部材の前記内面に略平行に向けた他端の先端部を前記内面から離れる方向に、前記設定曲率に応じて折り曲げて一体に形成されてなる曲率保持部であることを特徴とする請求項１に記載の排熱回収ボイラ。
【請求項９】
前記シール板は、第１の平板部材を介して前記バッフル部材に固定され、
前記シール面は、前記内部構造物の周縁部に固定された第２の平板部材の表面に形成されていることを特徴とする請求項１に記載の排熱回収ボイラ。
【請求項１０】
前記第１の平板部材と前記第２の平板部材は、前記内部構造物の周縁部の延在方向に沿って複数に分割して形成され、
前記シール板は、前記第１の平板部材と前記第２の平板部材の分割に合わせて複数に分割されていることを特徴とする請求項９に記載の排熱回収ボイラ。
【発明の詳細な説明】
【技術分野】
【０００１】
本発明は、ガスタービン等の排ガスの熱を回収して蒸気を発生する排熱回収ボイラに関する。
【背景技術】
【０００２】
排熱回収ボイラの煙道を構成するケーシング内には、排熱を回収する過熱器、再熱器、蒸発器及び節炭器などの熱交換器を構成する伝熱管構造物が収容される。また、排ガス中の窒素酸化物等の有害物質を除去する脱硝触媒を組付けた構造物が収容される。これらの伝熱管構造物及び脱硝触媒構造物を、本明細書においては内部構造物と総称する。
【０００３】
これらの内部構造物は、ケーシング内に設置して排ガスが流通される。また、ケーシングと内部構造物の熱伸び差を考慮して、内部構造物の外周壁とケーシング内壁との間に隙間が形成される。しかし、その隙間を通って排ガスが内部構造物を流通しないショートパスがあると、熱回収率が低下したり、有害物の除去率が低下するという不都合がある。そこで、その隙間を遮断するシール機構（シールシステム）が設けられている（例えば、特許文献１，２）。
【０００４】
特許文献１の熱回収ボイラは、排ガスが下部から上部に向けて流通される、いわゆる縦型のダクト（煙道）内に、排ガス流に沿って複数の内部構造物である伝熱管群を順次配置して構成されている。各内部構造物は、ダクト内壁面と対向する両側面に平板状のバッフルを配置し、ダクト内壁面とバッフルとの隙間を通る排ガスの上昇流のショートパスを遮断するシール機構が設けられている。特に、シール機構は、バッフルに支持させてダクト内壁面に向けて略水平に張り出され、排ガス流に直交する方向に延在されたショートパス防止板と、このショートパス防止板の先端部に片持ち支持された弾性材からなるシール板とを備えて構成されている。シール板は、固定端に対して円弧状に湾曲させ、自由端側をダクト内壁面に向けて伸長してダクト内壁面に摺接させて設けられる。これにより、排熱回収ボイラの構造物の熱伸びによる異常応力の発生させないで、ダクトとバッフル間の排ガスのショートパスを防止することができる。なお、縦型のダクト内の排ガス流の向きが下向きの場合も、同様のシール機構を設けることが可能である。
【０００５】
一方、特許文献２には、排ガスが横方向に流通される横型のダクト（煙道）の熱回収ボイラが開示されている。横型の熱回収ボイラの場合は、特許文献３に具体的に記載されているように、排ガス流に沿って複数の伝熱管構造物を順次配置する構造である。特許文献２、３では、内部構造物として、伝熱管構造物の他に脱硝触媒構造物を収容している。この場合も、煙道を形成する横型のケーシング内壁と内部構造物の外周壁との間に隙間が形成される。そこで、特許文献２には、内部構造物の排ガスの上流側の周縁部に、ケーシング内壁面と内部構造物の外周との隙間を通る排ガスのショートパスを遮断するシール機構を設けている。
【０００６】
特許文献２のシール機構は、ケーシングの内壁にショートパスを遮るバッフル部材を設け、バッフル部材に弾性材からなるシール板を片持ち支持させ、シール板を円弧状に湾曲させ、湾曲させた凸面を排ガスの下流側に向けて、自由端側の板面を内部構造物の排ガスの上流側の周縁部に形成されたシール面に接触させて構成されている。このようなシール機構によれば、特許文献１と同様に、ケーシングと内部構造物の熱伸び差が生じても、弾性材からなるシール板が熱伸び差を吸収し、シール板の自由端とシール面との接触位置が摺動するので、排ガスのショートパスを遮断することができる。
【先行技術文献】
【特許文献】
【０００７】
【特許文献１】特許５３７４３４９号
【特許文献２】特許５５８１４９４号
【特許文献３】特開２００８-０８２６２６
【発明の概要】
【発明が解決しようとする課題】
【０００８】
しかしながら、技術開発に伴って、コンバインドサイクルのガスタービンの排ガスの温度が高温化される傾向にある。また、排熱回収ボイラ内の排ガス流速も高速化（動圧増大）される傾向にある。排ガス温度が高くなると、例えば、起動時における温度変化や、負荷変化によって内部構造物の排ガスの上流側と下流側の温度差が一時的に大きくなることがある。これにより、内部構造物の上流側と下流側の温度差による一時的な熱伸び差が発生すると、この熱伸び差によって内部構造物が全体的に反る、熱反りが発生するおそれがある。従来のシール機構は、内部構造物の熱反りには、対応できないおそれがある。
【０００９】
例えば、横型の熱回収ボイラの場合、内部構造物である脱硝触媒構造物は、一般に、フレーム部材に複数の触媒層を３次元状に配置して直方体状に組み付けられる。このような脱硝触媒構造物は、横型のケーシングの底部側に設けたベース部材に支持する自立型の支持構造が採用されることがある。自立型の脱硝触媒構造物の上端は自由端であるから、上流側のフレーム部材と下流側のフレーム部材の温度差が大きいと、下部の支持点から離れた上部側が下流側に大きく反り返ることになる。特に、脱硝触媒構造物の上流側と下流側の排ガスの温度差が大きくなると、排ガスの反りが極めて大きくなる。また、排ガス流の高速化により、脱硝触媒構造物に作用する動圧が増大して反りを助長するおそれがある。
【００１０】
このように、自立型の脱硝触媒構造物の熱反りが極めて大きくなると、ケーシング側に支持されたバッフル部材に対して、脱硝触媒構造物の上部の周縁部に形成されたシール面との距離が大きく離れ、弾性を有するシール板の円弧状の湾曲が伸び切ってしまうことがある。シール板の自由端がシール面から離れると、排ガスのショートパスの遮断機能が失われる。なお、シール板が伸び切らないまでも、シール板の弾性力でシール面から跳ね上がって、シール面から離れてしまうことが考えられる。シール板がそのような状態になると、排ガスの温度変化が収まって、脱硝触媒構造物の熱反りが減少しても、一旦伸び切ったシール板は初期状態（湾曲）に戻らない。そのため、シール機構の機能が回復しないので、プラントを停止して修理する必要がある。
【００１１】
上述のような問題は、自立型の内部構造物に限られるものではなく、横型ケーシングの上部構造部材から吊下げられた脱硝触媒構造物の場合にも起こり得る。つまり、吊下げ型の内部構造物の場合、フレーム部材の上流側と下流側の温度差が大きくなり、直方体状のフレーム部材の下端側の自由端が下流側に反り返ることになる。この反り量は、自重が作用するので自立型に比べれば小さいが、同様の問題が起こり得る。
【００１２】
本発明が解決しようとする課題は、ケーシング内壁と内部構造物との間のショートパスを遮断する弾性材からなるシール板が内部構造物の熱反りにより機能を失っても、熱反りが回復したときに機能を回復可能な排熱回収ボイラを提供することにある。
【課題を解決するための手段】
【００１３】
上記の課題を解決するため、本発明の排熱回収ボイラは、横型の煙道を形成するケーシングと、前記ケーシング内に収容され、排ガスが流通される内部構造物と、前記ケーシングの内壁と前記内部構造物との間に形成される隙間を流れる前記排ガスのショートパスを遮断するシール機構とを備え、前記シール機構は、前記排ガスの上流側の前記内部構造物の周縁部に対応させて、該周縁部の延在方向に沿って前記ケーシングの内壁に支持されたバッフル部材と、前記ケーシングの内壁面に略平行に前記バッフル部材に片持ち支持された弾性材からなるシール板とを有し、前記シール板を対応する前記内壁面から離れる方向に湾曲して凸面側の自由端を前記周縁部に形成されたシール面に接触させてなり、前記内部構造物の設定された位置の周縁部に設けられる前記シール機構には、前記シール板を設定曲率以上の湾曲に保持する曲率保持部材を備えてなることを特徴とする。
【００１４】
本発明のシール機構（ショートパス防止機構）によれば、次に述べる作用により、課題を解決することができる。上述したように、従来は、内部構造物の上流側と下流側の温度差が大きくなると、内部構造物の熱反りによって、シール機構が復帰できない場合がある。しかし、本発明によれば、内部構造物の熱反りによってシール面がバッフル部材から大きく離れても、シール板の円弧状の湾曲がバッフル部材に支持された曲率保持部材によって、設定曲率以上に保持される。その結果、排熱回収ボイラを流通する排ガスの温度変化が収まって内部構造物の熱反りが小さくなる過程で、シール板の自由端の板面がシール面に接触し、内部構造物の反りの復帰力でシール板が再び円弧状に湾曲される。これにより、内部構造物の反りが復帰したときにシール機構が回復して、シール機構の機能が回復する。
【００１５】
つまり、本発明によれば、運転中の排熱回収ボイラにおいて、過剰な応力を発生することなく内部構造物の熱膨張に追従して、内部構造物の上流側と下流側との間に発生するガス温度差により内部構造物が下流側に反り返っても、排熱回収ボイラの排ガス温度が定常状態になれば、シール機構の機能を回復させることができる。
【００１６】
この場合において、予め設定された位置の周縁部とは、内部構造物の排ガスの上流側と下流側の熱伸び差によって内部構造物が熱反りし、バッフル部材と内部構造物のシール面との距離が設定値以上に達するような内部構造物の周縁部であればよい。
【００１７】
したがって、ケーシングの底部構造物に支持されて自立してケーシングに収容され自立型の内部構造物の場合は、予め設定された位置の周縁部は、少なくともケーシングの天井壁と対向する内部構造物の上部周縁部である。また、上部周縁部につながる側部の周縁部を含めてもよいが、側部の周縁部は従来型のシール機構でもよい。一方、吊下げ型の内部構造物の場合は、少なくともケーシングの底部壁と対向する内部構造物の下部周縁部である。また、下部周縁部につながる内部構造物の側部の周縁部を含めてもよいが、側部の周縁部は従来型のシール機構でもよい。
【００１８】
また、曲率保持部材は、内部構造物の周縁部に沿って連続して又は間隔を空けて設けてもよい。さらに、曲率保持部材は、シール板の凸面に接する湾曲部を有し、該湾曲部は設定曲率以上の曲面に形成してもよい。
【００１９】
シール板は、固定端から自由端までの長さが異なる複数のプレートを積層して形成してもよい。
【００２０】
シール板の固定端は、ケーシングの内壁に平行にバッフル部材に固定することが好ましい。この場合、シール板を固定するケーシングの内壁に平行な面をバッフル部材に形成してもよく、シール板を固定するケーシングの内壁に平行な面を有する部材をバッフル部材に固定して設けてもよい。
【００２１】
曲率保持部材は、バッフル部材と一体に形成してもよく、別部材により形成してバッフル部材に固定してもよい。また、バッフル部材は、断面がＬ字状に形成され、Ｌ字の一端をケーシングの内壁に支持され、他端を内面に略平行にして内部構造体の周縁に向けて設けられ、曲率保持部材は、バッフル部材の内面に略平行に向けた他端の先端部を内面から離れる方向に、設定曲率に応じて折り曲げて一体に形成されてなる曲率保持部であってもよい。
【００２２】
シール板は、第１の平板部材を介してバッフル部材に固定され、シール面は、内部構造物の周縁部に固定された第２の平板部材の表面に形成してもよい。この場合、第１の平板部材と第２の平板部材は、内部構造物の周縁部の延在方向に沿って複数に分割して形成され、シール板は、第１の平板部材と第２の平板部材の分割に合わせて複数に分割して形成する。
【発明の効果】
【００２３】
本発明によれば、ケーシング内壁と内部構造物との間のショートパスを遮断する弾性材からなるシール板が内部構造物の熱反りにより機能を失っても、熱反りが回復したときに機能を回復可能な排熱回収ボイラを提供することができる。
【図面の簡単な説明】
【００２４】
【図１】本発明の横型の排熱回収ボイラの一実施形態の一部を破断して示す外観斜視図である。
【図２】本発明の排熱回収ボイラの一実施形態の要部断面を示す模式図である。
【図３】本発明の排熱回収ボイラの一実施形態のシール機構を示す断面図である。
【図４】本発明のシール機構の効果を説明する従来のシール機構の断面図である。
【図５】本発明の排熱回収ボイラの他の実施形態のシール機構を示す斜視図である。
【発明を実施するための形態】
【００２５】
図１に示すように、本発明が適用される一実施形態の横型の排熱回収ボイラ１は、横型の煙道を形成するケーシング３内に、伝熱管群からなる複数の伝熱管構造物５が排ガス２の流れ方向に沿って収容されている。これらの伝熱管構造物５には、ガスタ−ビンで仕事をした後の排ガス２が流通され、排ガスの持つエネルギーを回収して蒸気を発生させる。発生した蒸気は、汽水分離ドラム６を介して外部の蒸気タービンに供給して発電するコンバインドサイクル発電プラントに使用される。また、複数の伝熱管構造物５の間の適度な排ガス温度領域に位置させて、脱硝触媒構造物２０が収容されている。なお、ケーシング３は、鋼板からなる左右側壁面と上下壁面と、これらを補強する補強部材１０などを備えて構成されている。なお、本実施形態の伝熱管構造物５は、吊り下げ型の内部構造物であるが、自立型の伝熱管構造物の場合があり、本発明を適用する対象となる場合がある。
【００２６】
本実施形態の脱硝触媒構造物２０には、図２に示す断面図ように、ガスタービンから排出される高温の排ガス２が、矢印に示されるように、排熱回収ボイラ１のケーシング３で構成される煙道を上流から下流へ流通される。煙道内には、窒素酸化物等の有害物質を除去する脱硝触媒構造物２０が収容されている。ケーシング３の天井壁３ａの内面には断熱材３ｂが設けられ、底部壁３ｃには断熱材３ｄが設けられている。なお、図に表れていないが、ケーシング３の左右両側壁も同様の形成されている。また、図示していないが、脱硝触媒構造物２０は、フレーム部材に複数の触媒層を３次元状に組み付けて直方体状に形成されている。直方体状の脱硝触媒構造物２０は、下部を横型のケーシング３の底部側に設けたベース部材２１に支持され、上部はケーシング３の天井壁３ａから隙間４を離して、支持されない自立型構造となっている。本実施形態の脱硝触媒構造物２０に係るシール機構が本発明の課題に顕著に対応する。
【００２７】
次に、本発明の特徴部であるシール機構の詳細について説明する。本実施形態のシール機構３０は、図２に示すように、脱硝触媒構造物２０の排ガスの上流側の上部の周縁部に対向させて、ケーシング３の天井壁３ａと脱硝触媒構造物２０との間に形成される隙間４を流れる排ガスのショートパスを遮断するように設けられている。なお、図示していないが、脱硝触媒構造物２０の上流側の上部以外の周縁部にもシール機構が対向させて設けられている。しかし、本実施形態では、それらのシール機構は、基本的に従来構造のシール機構で対応可能であるとする。すなわち、本発明のシール機構３０は、内部構造物である脱硝触媒構造物２０の予め設定された位置の周縁部に設ければよい。
【００２８】
図３に、シール機構３０を排ガス２の流れに直交する方向から見た部分断面図を示す。同図（ａ）に示すように、シール機構３０は、脱硝触媒構造物２０の上部の周縁部から所定の距離を離して設けられ、ケーシング３の天井壁３ａに支持して設けられたバッフル部材３１と、バッフル部材３１に片持ち支持された弾性材からなるシール板３２と、脱硝触媒構造物２０の上端部の周縁部に形成されたシール面３３とを備えて構成されている。シール板３２は、弾性の高い材料を使用して形成され、例えば、ステンレス鋼等の薄板を重ねた板ばね構造を用いて形成されている。しかし、これに限られるものではない。
【００２９】
シール板３２は、バッフル部材３１に片持ち支持された固定端と、固定されていない自由端とを有する。シール板３２は天井壁３ａに略平行にバッフル部材３１に支持され、天井壁３ａから離れる方向に延在させて設けられている。特に、固定端と自由端の間を湾曲させて、その凸面を排ガスの下流側に向け、自由端側の板面をシール面３３に接触させて形成されている。また、本実施形態のシール板３２は、バッフル部材３１に支持させて、湾曲を設定曲率以上に保持する曲率保持部材３４が備えられている。
【００３０】
なお、シール板３２の固定端は、Ｌ字型の鋼材からなるバッフル部材３１の天井壁３ａの内面に平行な面に、例えばボルト・ナット３５で固定されている。しかし、バッフル部材３１はＬ字型の鋼材に限られるものではなく、天井壁３ａの内面に平行な面を有する形状であればよく、要はシール板３２を天井壁３ａの内面に平行に固定できればよい。すなわち、シール板３２は、ケーシング３の内壁に平行にバッフル部材３１に固定して片持ち支持することが好ましい。この場合、シール板３２を固定するケーシング３の内壁に平行な面をバッフル部材３１に形成してもよく、シール板３２を固定するケーシング３の内壁に平行な面を有する部材をバッフル部材３１に固定して設けてもよい。
【００３１】
本実施形態の曲率保持部材３４は、バッフル部材３１に固定され、シール面３３側に延びる基部３４ａと、基部３４ａの先端からシール板３２の湾曲部に向かって垂下された抑え部３４ｂを備えて形成される。抑え部３４ｂの先端位置は、シール板３２の湾曲を設定曲率以上に保持するように設定される。つまり、図２（ｂ）に示すように、脱硝触媒構造物２０の上流側と下流側の熱伸び差により反りが発生し、シール板３２の自由端がシール面３３から離れても、設定曲率以上に保持する位置に抑え部３４ｂの先端が設けられている。
【００３２】
このように構成されることから、本実施形態のショートパス防止機構であるシール機構３０によれば、脱硝触媒構造物２０の熱反りによってシール面３３がバッフル部材３１から大きく離れても、シール板３２の湾曲が曲率保持部材３４の抑え部３４ｂの先端によって、シール板３２の弾性力が抑えられるから、設定曲率以上に保持される。その結果、排熱回収ボイラを流通する排ガスの温度変化が収まって、脱硝触媒構造物２０の熱反りが小さくなる過程で、シール板３２の自由端の板面がシール面３３に接触し、脱硝触媒構造物２０の反りの復帰力でシール板３２が再び湾曲される。これにより、図３（ｃ）に示すように、脱硝触媒構造物２０の反りが復帰したときにシール機構が回復して、シール機構の機能が回復する。
【００３３】
ここで、曲率保持部材３４を設けていない従来のシール機構を図４に示し、本実施形態の効果を説明する。図４が図３と異なる点は、曲率保持部材３４を設けていない点だけである。したがって、図３と同一の部品には、同一の符号を付して説明を省略する。図４（ａ）の定常状態から、図４（ｂ）のように、脱硝触媒構造物２０の熱反りが極めて大きくなると、バッフル部材３１に対して、脱硝触媒構造物２０の上部の周縁部に形成されたシール面３３との距離が大きく離れる。その結果、図４（ｃ）に示すように、弾性を有するシール板３２の自由端がシール面３３から離れて湾曲が伸び切ってしまうことから、排ガスのショートパスの遮断機能が失われる。なお、シール板３２の弾性力で自由端がシール面３３から跳ね上がって、シール面から離れてしまうことも考えられる。一旦、この状態になると、排ガスの温度変化が収まって、脱硝触媒構造物２０の反りが減少しても、伸び切ったシール板３２は初期状態（湾曲）に戻らない。そのため、従来のシール機構の機能は回復しないので、プラントを停止して修理する他ない。
【００３４】
以上説明したように、本実施形態によれば、運転中の排熱回収ボイラにおいて、過剰な応力を発生することなく内部構造物である脱硝触媒構造物２０の熱膨張に追従して、内部構造物の上流側と下流側との間に発生するガス温度差により内部構造物が下流側に反り返っても、排熱回収ボイラの排ガス温度が定常状態に至れば、シール機構の機能を回復させることができる。
【００３５】
ここで、上記実施形態において、予め設定された位置の周縁部とは、脱硝触媒構造物２０の排ガスの上流側と下流側の熱伸び差によって脱硝触媒構造物２０が熱反りし、バッフル部材３１とシール面３３との距離が設定値以上に達するおそれがある周縁部である。したがって、自立型の内部構造物の場合の設定される周縁部は、少なくともケーシングの天井壁と対向する内部構造物の上部周縁部である。一方、吊下げ型の内部構造物の場合は、少なくともケーシングの底部壁と対向する内部構造物の下部周縁部を検討対象とする。
【００３６】
曲率保持部材３４は、上記実施形態に限られるものではなく、内部構造物である脱硝触媒構造物２０の周縁部に沿って連続して、又は間隔を空けて設けてもよい。さらに、曲率保持部材３４は、シール板３２の凸面に接する湾曲部を有し、該湾曲部は設定曲率以上の曲面に形成してもよい。また、シール板３２は、固定端から自由端までの長さが異なる複数の薄板の弾性板を積層して形成してもよい。
【００３７】
また、シール板は、第１の平板部材を介してバッフル部材に固定され、シール面は、内部構造物の周縁部に固定された第２の平板部材の表面に形成してもよい。この場合、第１の平板部材と第２の平板部材は、内部構造物の周縁部の延在方向に沿って複数に分割して形成され、シール板は、第１の平板部材と第２の平板部材の分割に合わせて複数に分割して形成する。
【００３８】
図５に、本発明の他の実施形態のシール機構４０の構成を斜視図により示す。本実施形態は、バッフル部材３１と一体に、曲率保持部４４を形成した例である。図示のように、シール機構４０は、脱硝触媒構造物２０の上部の周縁部から所定の距離を離して設けられる。バッフル部材４１、断面がＬ字状の鋼材から形成され、Ｌ字の一端を図示していないケーシングの天井壁に支持させて、他端を脱硝触媒構造物２０側に向けて設けられる。弾性材からなるシール板４２は、バッフル部材４１のケーシングの天井壁に平行な支持部４１ａと押え板４６により挟持して、片持ち支持されている。また、シール板４２は、天井壁から離れる方向に湾曲して凸面側の自由端を、脱硝触媒構造物２０の上部の周縁部に形成されたシール面４３に接触させて設けられている。シール板４２は、弾性の高い材料を使用して形成されている。
【００３９】
本実施形態の曲率保持部４４は、バッフル部材４１の支持部４１ａの先端部を天井壁３ａから離れる方向に折り曲げてバッフル部材４１と一体に形成されている。曲率保持部４４の折り曲げ角度は、予め設定されたシール板４２の湾曲を設定曲率以上に保持する角度になっている。また、曲率保持部４４は、折り曲げ角度を保持するように、バッフル部材４１に固定されたリブ４５により補強されている。曲率保持部４４は、シール板４２を自由端よりも固定端に近い部位で曲げを付与するように形成されている。
【００４０】
これにより、脱硝触媒構造物２０の熱反りが大きくなって、シール板４２の自由端側がシール面４３から離れた後も、曲率保持部４４によりシール板４２の湾曲形状が離れたときの状態に維持される。これにより、脱硝触媒構造物２０の熱反りが解消されて、脱硝触媒構造物２０が元の位置に復帰したとき、シール板４２の自由端側が、再び、脱硝触媒構造物２０のシール面と接し、脱硝触媒構造物２０の復帰力で元の湾曲状態に回復する。これにより、シール機構４０の機能を回復することができる。
【００４１】
以上述べたように、本発明は、内部構造物の熱反りが大きくなって、シール板の自由端側がシール面から離れた後も、曲率保持部材によりシール板の湾曲形状が離れたときの状態に維持されるから、内部構造物が元の位置に復帰したとき、内部構造物の復帰力でシール板が元の湾曲状態に回復し、シール機構の機能を回復することができる。
【００４２】
上述したように、本発明は、内部構造物の熱反りが大きくなって、シール機構を構成するシール板の自由端側がシール面から離れた後も、曲率保持部材によりシール板の湾曲形状が離れたときの状態に維持することを本旨とした。これに代えて、シール板の長さを十分に長くすることにより、内部構造物の熱反りが大きくなっても、シール板の自由端側がシール面から離れないようにすれば、本発明の課題は生じない。
【００４３】
しかし、弾性材からなるシール板を長くするのは、弾性材が高価であることから、経済性の点で問題がある。また、シール板を長くすると、これに合わせてシール面の長さを長くすることになり、内部構造物の排ガスを流通させる領域を侵食してシール面を形成することは好ましくない。
【００４４】
以上、本発明を一実施形態に基づいて説明したが、本発明はこれらに限定されるものではなく、本発明の主旨の範囲で変形又は変更された形態で実施することが可能であることは、当業者にあっては明白なことであり、そのような変形又は変更された形態が本願の特許請求の範囲に属する。
【符号の説明】
【００４５】
１    排熱回収ボイラ
２    排ガス
３    ケーシング
３ａ  天井壁
３ｂ  断熱材
５    伝熱管構造物
２０  脱硝触媒構造物
３０  シール機構
３１  バッフル部材
３２  シール板
３３  シール面
３４  曲率保持部材
【図１】
2018162959.tif 000003
【図２】
2018162959.tif 000004
【図３】
2018162959.tif 000005
【図４】
2018162959.tif 000006
【図５】
2018162959.tif 000007